(57)【要約】【課題】空間部への設置が容易で、設置後のメンテナンス作業が少なく、且つ安全に架け渡すことができるネット体又はシート体、及び該ネット体又はシート体の吊り張り方法を提供することを課題とする。【解決手段】屋内外の空間部に応じて形成されたネット又はシートと、該ネット又はシートの上下・左右端部側に沿ってそれぞれ取り付けられた補強用ロープとから構成された防球用等のネット体又はシート体において、前記ネット体又はシート体には、吊り張り方向に沿って架け渡された、吊り張り方向に沿って移動するロープ体を挿通し、且つ吊り張り方向に沿って略直線状に連結挿通体を取り付けるための紐状体が予め所望の間隔又は所望の方向に沿って補強用ロープを利用して複数本取り付けられていることである。【選択図】図１
2017148463.tif 000002
【特許請求の範囲】
【請求項１】
屋内外の空間部に応じて形成されたネット又はシートと、該ネット又はシートの上下・左右端部側に沿ってそれぞれ取り付けられた補強用ロープとから構成されたネット体又はシート体において、前記ネット体又はシート体には、吊り張り方向に沿って架け渡された、又は吊り張り方向に沿って移動するロープ体を挿通し、且つ吊り張り方向に沿って略直線状に連結挿通体を取り付けるための紐状体が予め所望の間隔及び所望の方向に沿って補強用ロープを利用して複数本取り付けられていることを特徴とするネット体又はシート体。
【請求項２】
屋内外の空間部の形状に応じて形成されたネット又はシートの上下・左右端部側に沿って補強用ロープを取り付けることで構成されたネット体又はシート体を、吊り張り方向に沿って架け渡された、又は吊り張り方向に沿って移動するロープ体に沿って移動するネット体又はシート体の吊り張り方法において、前記ネット又はシートに予め補強用ロープを利用して、前記ロープ体を挿通する連結挿通体を複数個取り付けるための紐状体を複数本取り付けることでネット体又はシート体を形成し、所望の紐状体を選択し連結挿通体を略直線状に取り付けた後、前記ロープ体の設置位置に応じて連結挿通体間を微調整しながら該連結挿通体にロープ体を挿通し、ネット体又はシート体をロープ体に沿って移動することで、空間部に吊り張りすることを特徴とするネット体又はシート体の吊り張り方法。
【発明の詳細な説明】
【技術分野】
【０００１】本願発明は、主に屋内外の空間部の防球用（間仕切り用）として吊り張りするネット体、又は屋外空間の上部側の被覆用として使用するシート体を、ウインチで移動する移動用のロープ体を用いて開閉移動するネット体又はシート体、及び該ネット体又はシート体の吊り張り方法に関する。
【背景技術】
【０００２】従来、屋内の空間部にネット体又はシート体を吊り張りする場合は、使用目的に応じて所望の位置にネット体又はシート体を吊り張りすべく、空間部の側面側（両側面側、又は一方の側面側）に設置されたウインチを駆動し、該ウインチに直接、又は間接的に巻回された移動用のロープ体を天井側に取り付けられた滑車を介して引き出し移動し、該引き出し移動した移動用のロープ体をネット体又はシート体に取り付けられた連結挿通体に挿通するとともに、該ネット体又はシート体の下端側で固定し、前記移動用のロープ体を引き出し移動することでネット体又はシート体を空間部に吊り張りする。【０００３】また、前記ウインチを逆方向に駆動して移動用のロープ体を巻き取り移動することで、ネット体又はシート体を移動用のロープ体の先端側を固定した下端側より折り畳みながら天井側に収納移動する。【０００４】屋外の空間部にネット体又はシート体を吊り張りする場合は、空間部の外周に沿って所望の間隔で立設した複数本の支柱と、該支柱に取り付けられ、支柱の上下方向に沿ってエンドレス状に移動し、ネット体又はシート体の上端側に連結した移動用のロープ体を駆動するウインチと、支柱の上下方向で固定され、ネット体又はシート体に取り付けられた連結挿通体に挿通されたガイド用のロープ体とから構成され、前記ウインチを駆動して移動用のロープ体を上下方向に移動することで、ガイド用のロープ体に沿ってネット体又はシート体を昇降移動する。【０００５】屋外の空間部の上方側で水平方向に吊り張りするシート体は、該空間部の形状に応じて形成され、該シート体に取り付けられた連結挿通体を、空間部の吊り張り方向の前後に立設された水平方向の支柱間に所望の間隔で架け渡された複数本のガイド用のロープ体に挿通することで吊り張りし、前記支柱間に取り付けられ、ウインチで移動する移動用のロープ体に先端側を連結することで、空間部を開閉移動する。【０００６】上記屋内、又は屋外の空間部で使用するネット体又はシート体は、空間部の形状に応じて１枚又は複数枚で形成されたネット又はシートと、該ネット又はシートの対向する上下・左右の両端側に沿ってそれぞれ取り付けられた補強用ロープから構成され、しかも前記補強用ロープには複数個の連結挿通体を移動自在に設けた取付用ロープが取り付けられている。
【特許公報】
特開２０１３−１４６５２０号
【特許公報】
特開２０１４−１３４０８８号
【発明が解決しようとする課題】
【０００７】しかしながら、上記従来のネット体又はシート体は、ロープ体を挿通するために、別体で連結挿通体の設けられた取付用ロープをネット又はシートに取り付けられた補強用ロープに取り付ける工程を必要とし、その取り付け作業が煩雑であり、作業効率が悪いという欠点があった。
【０００８】また、取付用ロープの両端側をネット又はシートの対向する端部側の補強用ロープに連結することで取り付けているために、取付用ロープの中途部部分はネット又はシートとの連結がされておらず、このため連結挿通体とネット又はシートとが離間しやすく、スムーズな連結挿通体への移動用ロープ、又はガイド用ロープの移動ができないという問題点があった。
【０００９】また、連結挿通体の取り付けの強度を上げる場合は、前記取付用ロープの強度を上げる必要があり、強度を上げた取付用ロープがネット又はシートと擦れて摩耗等の原因となるという欠点があった。
【００１０】また、取付用ロープの補強用ロープへの取り付け後の微調整ができなく、ネット体又はシート体の荷重による撓み等が発生し易く、その後の頻繁なメンテナンス作業を必要とするという欠点があった。
【００１１】そこで、本発明は連結挿通体の取り付けが容易であり、また容易に取り付け位置の微調整が行え、頻繁なメンテナンス作業を必要としないネット体又はシート体、及び該ネット体又はシート体の吊張方法を提供することを課題とする。
【課題を解決するための手段】
【００１２】本願発明の上記課題を解決する手段としてのネット体又はシート体は、請求項１に記載のように、屋内外の空間部に応じて形成されたネット又はシートと、該ネット又はシートの上下・左右端部側に沿ってそれぞれ取り付けられた補強用ロープとから構成されたネット体又はシート体において、前記ネット体又はシート体には、吊り張り方向に沿って架け渡された、又は吊り張り方向に沿って移動するロープ体を挿通し、且つ吊り張り方向に沿って略直線状に連結挿通体を取り付けるための紐状体が予め所望の間隔及び所望の方向に沿って補強用ロープを利用して複数本取り付けられていることを特徴とする。
【００１３】また、本願発明の上記課題を解決する手段としてのネット体又はシート体の吊り張り方法は、請求項２に記載のように、屋内外の空間部の形状に応じて形成されたネット又はシートの上下・左右端部側に沿って補強用ロープを取り付けることでネット体又はシート体を、吊り張り方向に沿って架け渡された、又は吊り張り方向に沿って移動するロープ体に沿って移動するネット体又はシート体の吊り張り方法において、前記ネット又はシートに予め補強用ロープを利用して、前記ロープ体を挿通する連結挿通体を複数個取り付けるための紐状体を複数本取り付けることでネット体又はシート体を形成し、所望の紐状体を選択し前記連結挿通体を略直線状に取り付けた後、前記ロープ体の設置位置に応じて連結挿通体間を微調整しながら該連結挿通体にロープ体を挿通し、ネット体又はシート体に沿って移動することで、空間部に吊り張りすることを特徴とする。
【発明の作用効果】
【００１４】次に、本願発明のネット体又はシート体、及び該ネット体又はシート体の吊り張り方法の作用効果を説明する。
【００１５】先ず、請求項１に記載のネット体又はシート体は、空間部の形状に応じて形成されたネット又はシートと、該ネット又はシートの上下・左右端部側に沿って取り付けられた補強用ロープと、該補強用ロープを利用して所望の方向に沿って取り付けられた連結挿通体を取り付けるための複数本の紐状体とから構成されている。
【００１６】前記紐状体はネット又はシートに補強用ロープを利用して予め取り付けられているために、連結挿通体を挿通するロープ体（ウインチで移動する移動用のロープ体、又は空間部に架け渡されたガイド用のロープ体）の設置位置に応じて適切な紐状体を選択し、該紐状体に連結挿通体を吊り張り方向に沿って略直線状に取り付けることで、ロープ体に応じて（ロープ体の移動方向、又はロープ体の架け渡された方向に沿って）連結挿通体に挿通することができる。
【００１７】このように、本発明のネット体又はシート体は、連結挿通体を取り付ける紐状体が予めネット又はシートに取り付けられているために、吊り張りする空間部に応じて最適な連結挿通体の取り付けができる。
【００１８】また、所望の紐状体を選択することで、ロープ体の位置に応じて連結挿通体にスムーズにロープ体を挿通でき、頻繁な微調整を必要としない。
【００１９】さらに、紐状体の取り付け方向を選択することで、連結挿通体の取り付け方向を微調整することができる。
【００２０】また、前記紐状体はネット又はシートと一体的に取り付けられているために紐状体に取り付けられた連結挿通体がネット又はシートから離反することなく、適切に取り付けできる。
【００２１】さらに、複数本の紐状体を利用（交差部分、２本）して連結挿通体を取り付けることで、連結挿通体の取り付け強度を上げることができる。
【００２２】次に、本願発明の請求項２に記載のネット体又はシート体の吊り張り方法は、空間部の形状に応じてネット又はシートを形成し該ネット又はシートの上下・左右端部側に沿って補強用ロープを取り付け、該補強用ロープを利用して予め吊り張り方向に沿って複数本の紐状体を取り付けることで、ネット体又はシート体を形成する。
【００２３】その後、前記紐状体のうち、ロープ体の設置位置に応じて所望の紐状体を選択し、該選択した紐状体に沿って複数個の連結挿通体を吊り張り方向に沿って略直線状に取り付ける。
【００２４】このため、摩耗等した連結挿通体の交換作業も該当する連結挿通体のみを交換することで容易に行え、また適切な交換作業を安全に行うことができる。
【００２５】次に、前記ネット体又はシート体を空間部に吊り張りする場合（間仕切り用として昇降移動する場合、上方側で水平移動する場合）は、前記連結挿通体にロープ体を挿通し、該ロープ体に沿って移動することでネット体又はシート体を空間部に吊り張りすることができる。
【００２６】そして、ロープ体に沿ってネット体又はシート体を移動することで、ネット体又はシート体の吊り張り、又は収納移動を自在に行うことができる。
【００２７】このように、本願発明のネット体又はシート体の吊り張り方法は、ロープ体の設置位置に対応して最適にネット又はシートに連結挿通体を取り付け、ネット体又はシート体を空間部に吊り張り移動することができる。
【００２８】このため、ネット体又はシート体の摩耗等が少なく、従来のような頻繁なメンテナンス作業を必要としない。
【００２９】さらに、ネット体又はシート体は吊り張り時に連結挿通体を取り付けるために、ネット体又はシート体の搬送工程でネット体又はシート体が摩耗等の損傷がなく適切な搬送が容易に行える。
【００３０】また、紐状体のネット又はシートへの取り付け方向、取り付け間隔を選択することで、連結挿通体の取り付け強度を上げることができる。
【発明を実施するための最良の形態】
【００３１】本願発明のネット体又はシート体、及び該ネット体又はシート体の吊り張り方法について図面を用いて説明する。【００３２】図１は本願発明のネット体又はシート体の一実施例を示す概略説明平面図であり、図２は図１のネット体又はシート体に連結挿通体を取り付けた状態を示概略説明平面図であり、図３は図２のネット体又はシート体の昇降移動を示す概略説明平面図であり、図４は図２のネット体又はシート体の昇降移動を示す概略説明側面図であり、図５、図６、図７及び図８は本願発明のネット体又はシート体の他実施例を示す概略説明平面図であり、図９は本願発明のネット体又はシート体の吊り張り方法のフローチャートである。
【実施例１】
【００３３】本願発明のネット体１（シート体）は、空間部の形状に応じて縦方向、及び横方向を１枚又は複数枚組み合わされたネット２（シート）と、該ネット２の縦方向又は横方向の長さに応じて取り付けられた複数本の紐状体３とから構成されている。【００３４】前記紐状体３には、直線状に所望の間隔で連結挿通体６が取り付けられる。【００３５】前記紐状体３は、ネット２の対向する両端側にそれぞれ設けられたネット２を補強するための補強用ロープ４（上下方向は４ａ、４ｂ、左右方向は４ｃ、４ｄ）に両端側をそれぞれ連結するとともに、ネット２の網目に沿って縫い込まれている。【００３６】前記紐状体３のネット２への取り付けは、連結挿通体６の上下方向の調整のみ可能な場合は上記縦方向（４ａ，４ｂ）のみ、連結挿通体６が左右方向で微調整移動する場合、例えば略ハの字状に取り付ける場合は横方向（４ｃ，４ｄ）のみ取り付ける。【００３７】また、連結挿通体６に負荷が係る場合、例えば大空間部でネット２の面積が大きくネットの荷重が大きな場合は、縦方向と横方向との紐状体３を交差して組み合わせ、又はそれぞれ斜め方向に交差するように組み合わせ、該交差部分に連結挿通体６を取り付けることで強度を上げることも可能である。【００３８】また、ネット２の荷重がかかる連結挿通体６を前記紐状体３の形状は帯状の幅を有するように形成し、ネット２と一体的に取り付けることで、強固に連結挿通体６をネット２に取り付けることも可能である。この場合、帯状部分にワイヤーロープ等を入れることで、さらに、強度を上げる事ができる【００３９】また、前記ネット体１の形状、特に上部側を円弧状に形成された場合は、前記紐状体３を略直線状である下端側をハの字状に広げて形成することで、該紐状体３に沿って連結挿通体６を取り付け、ロープ体７（７Ａ又は７Ｂ）を連結挿通体６に挿通することで、円弧状の天井側に沿ってネット体１の下端側をスムーズに昇降移動することができる。【００４０】前記連結挿通体６は、ネット体１を昇降移動、又は並行移動する移動用のロープ体７Ａ、又はネット体１に並行に架け渡されたガイド用のロープ体７Ｂを挿通するリング環（図示せず）が形成されていれば、その形状は特に問うものでない。【００４１】本願発明のネット体１は上記のように構成され、次に該ネット体１で屋内空間部を間仕切りする場合について説明する。【００４２】先ず、間仕切りする空間部の設置位置の縦方向、及び横方向に応じて１枚又は複数枚で間仕切り用のネット２を形成する。【００４３】次に、前記ネット２の上下の両端側、及び左右の両端側に沿ってそれぞれ補強用ロープ４を取り付ける。【００４４】次に、基本構成として、前記上下方向の補強用ロープ４ａ、４ｂに所望の間隔でネット２に縫い付けるようにして取り付けることで、ネット体１を構成する。【００４５】このため、ネット体１には連結挿通体６が取り付けられていないために、その搬送工程で連結挿通体６によるネット体１の摩耗等がなく、適切に搬送することができる。【００４６】そして、空間部の側面側、又は床面側に設置したウインチ５で移動する複数本の移動用のロープ体７Ａを天井側より滑車を介して引き出し移動した位置に対応して、前記空間部に搬送されたネット体１の所望の紐状体３に連結挿通体６をそれぞれ取り付ける。【００４７】その後、前記ネット体１の上端側を空間部の天井側に固定（平行状態に架け渡されたロープ等を介して）するとともに、前記各移動用のロープ体７Ａを連結挿通体６のリング環（図示せず）に挿通しその先端側をネット体１の下端側で固定する。【００４８】この状態で、ウインチ５を駆動して移動用のロープ体７Ａを引き出し移動することで、ネット体１を空間部に吊り張りし空間部の間仕切りを行う。【００４９】また、ウインチ５を駆動して移動用のロープ体７Ａを巻き取り移動することでネット体１を天井側に折り畳んで収納し、空間部を開放する。【００５０】このように、ネット体１には予め紐状体３が設けられているために、ロープ体７の設置位置に沿って所望の紐状体３を選択し、該紐状体３に連結挿通体６を取り付けることができ、ネット体１のスムーズな移動を可能とする。【００５１】また、摩耗等した連結挿通体６があると、該連結挿通体６のみ紐状体３より取り外すことで、交換作業を行うことができ、メンテナンス作業の効率を格段に向上することができる。【００５２】さらに、紐状体３の選択が自在に行え、前記連結挿通体６によるネット体１の摩耗等を減少することができる。【００５３】また、ネット体１の搬送時の摩耗等がなく、該ネット体１の形成を工場で直接形成できる利点がある。
【実施例２】
【００５４】次に、本願発明のシート体１を屋外の空間部の上方側で水平方向に移動すべく設置する場合は、先ずシート体１を立設した支柱（図示せず）間の幅に沿って形成する。【００５５】前記シート体１はその前後方向、及び左右方向の端部には、それぞれシート２を補強するための補強用ロープ４が取り付けられ、該左右方向の補強用ロープ４（４ｃ，４ｄ）に両端側を固定した複数本の紐状体３が予め取り付けられている。【００５６】次に、前記支柱間にはシート体１の移動方向に沿って複数本のガイド用のロープ体７Ｂが固定状態で架け渡され、また、ウインチ５で移動する移動用のロープ体７Ａがシート体１の移動方向に沿ってエンドレス状に架け渡されている。【００５７】次に、前記シート体１のガイド用のロープ体７Ｂに対応した位置の紐状体３に連結挿通体６を取り付け、移動方向に沿って略直線状に前記連結挿通体６を微調整移動する。【００５８】そして、シート体１の先端側を前記移動用のロープ体７Ａに連結する。【００５９】次に、前記移動用のロープ体７Ａをウインチ５で移動することで、ガイド用のロープ体７Ｂに沿ってシート体１を移動し、空間部を閉塞、又は開放移動する。【００６０】このように、本願発明のシート体１はガイド用のロープ体７Ｂに沿って自在に連結挿通体６を微調整することができ、スムーズなシート体１の移動を可能とする。【００６１】また、ガイド用のロープ体７Ｂへの挿通時に連結挿通体６をシート体１の所望の紐状体３に取り付けでき、その取り付け作業効率を向上することができる。
【図面の簡単な説明】
【００６２】
【図１】本願発明のネット体又はシート体を示す概略説明平面図
【図２】図１のネット体又はシート体に連結挿通体を取り付けた状態を示す概略説明平面図
【図３】図２のネット体又はシート体の昇降移動を示す概略説明平面図
【図４】図２のネット体又はシート体の昇降移動を示す概略説明側面図
【図５】本願発明のネット体又はシート体の他実施例を示す概略説明平面図
【図６】本願発明のネット体又はシート体の他実施例を示す概略説明平面図
【図７】本願発明のネット体又はシート体の他実施例を示す概略説明平面図
【図８】本願発明のネット体又はシート体の他実施例を示す概略説明平面図
【図９】本願発明のネット体又はシート体の吊り張り方法のフローチャート
【符号の説明】
【００６３】１…ネット体、２…ネット、３…紐状体、４…補強用ロープ、５…ウインチ、６…連結挿通体
【図１】
2017148463.tif 000003
【図２】
2017148463.tif 000004
【図３】
2017148463.tif 000005
【図４】
2017148463.tif 000006
【図５】
2017148463.tif 000007
【図６】
2017148463.tif 000008
【図７】
2017148463.tif 000009
【図８】
2017148463.tif 000010
【図９】
2017148463.tif 000011
【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
屋内外の空間部に応じて形成されたネット又はシートと、該ネット又はシートの上下・左右端部側に沿ってそれぞれ取り付けられた補強用ロープとから構成されたネット体又はシート体において、前記ネット体又はシート体には、吊り張り方向に沿って架け渡されたロープ体を挿通し、且つ該ロープ体の吊り張り方向に沿って略直線状に連結挿通体を取り付けるための紐状体が予め所望の間隔、又は・及び、所望の方向に沿って前記補強用ロープを利用して複数本取り付けられていることを特徴とするネット体又はシート体。
【請求項２】
屋内外の空間部の形状に応じて形成されたネット又はシートの上下・左右端部側に沿って補強用ロープを取り付けることで構成されたネット体又はシート体を、吊り張り方向に沿って架け渡されたロープ体に沿って移動するネット体又はシート体の吊り張り方法において、前記ネット又はシートに予め前記補強用ロープを利用して、前記ロープ体を挿通する連結挿通体を複数個取り付けるための紐状体を複数本取り付けることでネット体又はシート体を形成し、前記紐状体より前記ロープ体の設置位置に応じて所望の紐状体を選択して複数個の連結挿通体を略直線状に取り付けた後、前記連結挿通体に前記ロープ体を挿通し、ネット体又はシート体を前記ロープ体に沿って移動することで、空間部に吊り張りすることを特徴とするネット体又はシート体の吊り張り方法。
【手続補正２】
【補正対象書類名】明細書
【補正対象項目名】００１２
【補正方法】変更
【補正の内容】
【００１２】本願発明の上記課題を解決する手段としてのネット体又はシート体は、請求項１に記載のように、屋内外の空間部に応じて形成されたネット又はシートと、該ネット又はシートの上下・左右端部側に沿ってそれぞれ取り付けられた補強用ロープとから構成されたネット体又はシート体において、前記ネット体又はシート体には、吊り張り方向に沿って架け渡されたロープ体を挿通し、且つ該ロープ体の吊り張り方向に沿って略直線状に連結挿通体を取り付けるための紐状体が予め所望の間隔、又は・及び、所望の方向に沿って前記補強用ロープを利用して複数本取り付けられていることを特徴とする。
【手続補正３】
【補正対象書類名】明細書
【補正対象項目名】００１３
【補正方法】変更
【補正の内容】
【００１３】また、本願発明の上記課題を解決する手段としてのネット体又はシート体の吊り張り方法は、請求項２に記載のように、屋内外の空間部の形状に応じて形成されたネット又はシートの上下・左右端部側に沿って補強用ロープを取り付けることで構成されたネット体又はシート体を、吊り張り方向に沿って架け渡されたロープ体に沿って移動するネット体又はシート体の吊り張り方向において、前記ネット又はシートに予め前記補強用ロープを利用して、前記ロープ体挿通する連結挿通体を複数個取り付けるための紐状体を複数本取り付けることでネット体又はシート体を形成し、前記紐状体より前記ロープ体の設置位置に応じて所望の紐状体を選択し複数個の連結挿通体を所望の間隔で複数個取り付けた後、前記連結挿通体に前記ロープ体を挿通し、ネット体又はシート体を前記ロープ体に沿って移動することで、空間部に吊り張りすることを特徴とする。
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
屋内外の空間部に応じて形成されたネット又はシートと、該ネット又はシートの上下・左右両端側に沿ってそれぞれ取り付けられた補強用ロープとから構成されたネット体又はシート体において、前記ネット体又はシート体には、吊り張り方向に沿って架け渡されたロープ体を挿通するリング環を有し、前記ロープ体の吊り張り方向に沿って略直線状に所望の間隔で設ける連結挿通体を取り付けるための紐状体が予め所望の間隔、又は・及び、所望の方向に沿って前記補強用ロープを利用し、且つネット体又はシートに縫い込むことで複数本取り付けられていることを特徴とするネット体又はシート体。
【請求項２】
屋内外の空間部の形状に応じて形成されたネット又はシートの上下・左右端部側に沿って補強用ロープを取り付けることで構成されたネット体又はシート体を、吊り張り方向に沿って架け渡されたロープ体に沿って移動するネット体又はシート体の吊り張り方法において、前記ネット又はシートに予め前記補強用ロープを利用するとともに、ネット又はシートに縫い込むことで、前記ロープ体を挿通するリング環の設けられた連結挿通体を複数個取り付けるための紐状体を所望の間隔で複数本取り付けてネット体又はシート体を形成し、前記紐状体より前記ロープ体の設置位置に応じて所望の紐状体を選択して複数個の連結挿通体を略直線状に取り付けた後、前記連結挿通体に前記ロープ体を挿通し、ネット体又はシート体を前記ロープ体に沿って移動することで、空間部に吊り張りすることを特徴とするネット体又はシート体の吊り張り方法。
【手続補正２】
【補正対象書類名】明細書
【補正対象項目名】００１２
【補正方法】変更
【補正の内容】
【００１２】上記課題を解決する本発明の解決手段としてのネット体又はシート体は、請求項１に記載のように、屋内外の空間部に応じて形成されたネット又はシートと、該ネット又はシートの上下・左右端部側に沿ってそれぞれ取り付けられた補強用ロープとから構成されたネット体又はシート体において、前記ネット体又はシート体には、吊り張り方向に沿って架け渡されたロープ体を挿通するリング環を有し、前記ロープ体の吊り張り方向に沿って略直線状に所望の間隔で設ける連結挿通体を取り付けるための紐状体が予め所望の間隔、又は・及び、所望の方向に沿って前記補強用ロープを利用し、且つネット又はシートに縫い込むことで複数本取り付けられていることを特徴とする。
【手続補正３】
【補正対象書類名】明細書
【補正対象項目名】００１３
【補正方法】変更
【補正の内容】
【００１３】また、本願発明の上記課題を解決する手段としてのネット体又はシート体の吊張方法は、請求項２に記載のように、屋内外の空間部の形状に応じて形成されたネット又はシートの上下・左右端部側に沿って補強用ロープを取り付けることで構成されたネット体又はシート体を、吊り張り方向に沿って架け渡されたロープ体に沿って移動するネット体又はシート体の吊り張り方法において、前記ネット又はシートに予め前記補強用ロープを利用するとともに、ネット又はシートに縫い込むことで、前記ロープ体を挿通するリング環の設けられた連結挿通体を複数個取り付けるための紐状体を所望の間隔で複数本取り付けることでネット体又はシート体を形成し、前記紐状体より前記ロープ体の設置位置に応じて所望の紐状体を選択し複数個の連結挿通体を所望の間隔で複数個取り付けた後、前記連結挿通体に前記ロープ体を挿通し、ネット体又はシート体を前記ロープ体に沿って移動することで、空間部に吊り張りすることを特徴とする。
【手続補正４】
【補正対象書類名】明細書
【補正対象項目名】００１５
【補正方法】変更
【補正の内容】
【００１５】先ず、請求項１に記載のネット体又はシート体は、空間部の形状に応じて形成されたネット又はシートと、該ネット又はシートの上下・左右端部側に沿って取り付けられた補強用ロープと、該補強用ロープを利用して所望の方向に沿って、ネット又はシートに縫い込まれた複数本の紐状体と、該紐状体に所望の間隔で設けられ、吊り張り方向に沿って架け渡されたロープ体を挿通するリング環を有する連結挿通体とから構成されている。
【手続補正５】
【補正対象書類名】明細書
【補正対象項目名】００１６
【補正方法】変更
【補正の内容】
【００１６】前記紐状体は、ネット又はシートに補強用ロープを利用し、且つ前記ネット又はシートに縫い込まれているために、連結挿通体はリング環を介して挿通するロープ体（ウインチで移動する移動用ロープ体、又は空間部に架け渡されたガイド用のロープ体）の設置位置に応じて適切な紐状体を選択し、該紐状体に連結挿通体を吊り張り方向に沿ってリング環を介して略直線状に取り付けることで、ロープ体に応じて（ロープ体の移動方向、又はロープ体の架け渡された方向に沿って）連結挿通体に挿通することができる。
【手続補正６】
【補正対象書類名】明細書
【補正対象項目名】００２２
【補正方法】変更
【補正の内容】
【００２２】次に、本願発明の請求項２に記載のネット体又はシート体の吊り張り方法は、空間部の形状に応じてネット又はシートを形成し該ネット又はシートの上下・左右端部側に沿って補強用ロープを取り付け、該補強用ロープを利用するとともに、ネット又はシートに縫い込んで、予め吊り張り方向に沿って複数本の紐状体を所望の間隔で取り付けることで、ネット体又はシート体を形成する。
【手続補正７】
【補正対象書類名】明細書
【補正対象項目名】００２３
【補正方法】変更
【補正の内容】
【００２３】その後、前記紐状体のうち、ロープ体の設置位置に応じて所望の紐状体を選択し、該選択した紐状体に沿ってリング環の設けられた複数個の連結挿通体を吊り張り方向に沿って略直線状に取り付ける。
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
屋内外の空間部に応じて形成されたネット又はシートと、該ネット又はシートの上下・左右両端側に沿ってそれぞれ取り付けられた補強用ロープとから構成されたネット体又はシート体において、前記ネット体又はシート体には、吊り張り方向に沿って架け渡されたロープ体を挿通するリング環を有し、前記ロープ体の吊り張り方向に沿って略直線状に所望の間隔で設ける連結挿通体を後から取り付けるための紐状体が予め所望の間隔で、及び、所望の方向に沿って前記補強用ロープを利用し、且つ前記ネット又はシートに交差して縫い込むことで複数本取り付けられていることを特徴とするネット体又はシート体。
【請求項２】
屋内外の空間部の形状に応じて形成されたネット又はシートの上下・左右両端部に沿って補強用ロープを取り付けることで構成されたネット体又はシート体を、吊り張り方向に沿って架け渡されたロープ体に沿って移動するネット体又はシート体の吊り張り方法において、前記ネット又はシートに予め取り付けた前記補強用ロープを利用するとともに、ネット又はシートに予め交差して縫い込むことで、前記ロープ体を挿通するリング環の設けられた連結挿通体を複数個取り付けるための紐状体を所望の間隔で複数本取り付けてネット体又はシート体を形成し、前記紐状体より前記ロープ体の設置位置に応じて所望の紐状体を選択して複数個の連結挿通体を交差部分に略直線状、又はハの字状に取り付けた後、前記連結挿通体に前記ロープ体を挿通し、ネット体又はシート体を前記ロープ体に沿って移動することで空間部に吊り張りすることを特徴とするネット体又はシート体の吊り張り方法。
【手続補正２】
【補正対象書類名】明細書
【補正対象項目名】００１２
【補正方法】変更
【補正の内容】
【００１２】上記課題を解決する本発明の解決手段としてのネット体又はシート体は、請求項１に記載のように、屋内外の空間部に応じて形成されたネット又はシートと、該ネット又はシートの上下・左右両端側に沿ってそれぞれ取り付けられた補強用ロープとから構成されたネット体又はシート体の吊り張り方法において、前記ネット体又はシート体には、吊り張り方向に沿って架け渡されたロープ体を挿通するリング環を有し、前記ロープ体の吊り張り方向に沿って略直線状に所望の間隔で設ける連結挿通体を後から取り付けるための紐状体が予め所望の間隔、及び、所望の方向に沿って前記補強用ロープを利用し、且つ前記ネット又はシートに交差して縫い込むことで複数本取り付けられていることを特徴とする。
【手続補正３】
【補正対象書類名】明細書
【補正対象項目名】００１３
【補正方法】変更
【補正の内容】
【００１３】また、本願発明の上記課題を解決する手段としてのネット体又はシート体の吊り張り方法は、請求項２に記載のように、屋内外の空間部の形状に応じて形成されたネット又はシートの上下・左右両端側に沿って補強用ロープを取り付けることで構成されたネット体又はシート体を、吊り張り方向に治って架け渡されたロープ体に沿って移動するネット体又はシート体の吊り張り方法において、前記ネット又はシートに予め取り付けた前記補強用ロープを利用するとともに、前記ネット又はシートに予め交差して縫い込むことで、前記ロープ体を挿通するリング環の設けられた連結挿通体を複数個取り付けるための紐状体を所望の間隔で複数本取り付けることでネット体又はシート体を形成し、前記紐状体より前記ロープ体の設置位置に応じて所望の紐状体を選択して複数個の連結挿通体を交差部分に略直線状、又はハの字状に取り付けた後、前記連結挿通体に前記ロープ体を挿通し、ネット体又はシート体を前記ロープ体に沿って移動することで、空間部に吊り張りすることを特徴とする。
【手続補正４】
【補正対象書類名】明細書
【補正対象項目名】００１６
【補正方法】変更
【補正の内容】
【００１６】前記紐状体は、前記ネット又はシートに補強用ロープを利用し、且つネット又はシートに予め交差して縫い込まれているために、連結挿通体はリング環を介して挿通するロープ体（ウインチで移動する移動用ロープ体、又は空間部に架け渡されたガイド用ロープ体）の設置位置に応じて前記縫い込まれた紐状体の内適切な紐状体を選択し、該紐状体に連結挿通体を吊り張り方向に沿って略直線状、又はハの字状に取り付けることで、ロープ体に応じて（ロープ体の移動方向、又はロープ体の架け渡された方向に沿って）連結挿通体に挿通することができる。
【手続補正５】
【補正対象書類名】明細書
【補正対象項目名】００２２
【補正方法】変更
【補正の内容】
【００２２】次に、本願発明の請求項２に記載のネット体又はシート体の吊り張り方法は、空間部の形状に応じてネット又はシートを形成し、該ネット又はシートの上下・左右両端側に沿って補強用ロープを取り付け、該補強用ロープを利用するとともに、ネット又はシートに交差して縫い込んで、予め吊り張り方向に沿って複数本の紐状体を所望の間隔で取り付けることで、ネット体又はシート体を形成する。
【手続補正６】
【補正対象書類名】明細書
【補正対象項目名】００２３
【補正方法】変更
【補正の内容】
【００２３】その後、前記紐状体のうち、ロープ体の設置位置に応じて所望の紐状体を選択し、該選択した紐状体に沿って、リング環の設けられた複数個の連結挿通体を吊り張り方向に沿って連結部分に略直線状、又はハの字状に取り付ける。